(57)【特許請求の範囲】
【請求項１】
メッシュを有する底面材と、底面材上に起立した落石土砂防護柵と、落石土砂防護柵の後方において底面材上に盛られた盛土と、を備えた落石土砂防護柵付き擁壁であって、
落石土砂防護柵は、それぞれメッシュを有する前部壁面材と後部壁面材を備え、側面視で頂部が鋭角を有する鋭角三角形をしており、
前部壁面材と後部壁面材は、それぞれの上端部が互いに鋭角で交叉しており、該交叉した箇所における上端連結部で、遊びを持って連結されているとともに、それぞれの下端部が、底面材に交叉した下端連結部で遊びを持って連結されていることを特徴とする落石土砂防護柵付き擁壁。
【請求項２】
上端連結部は、前部壁面材と後部壁面材のいずれか一方の上端部が、他方の上端部の網目内に挿入されており、前部壁面材と後部壁面材のメッシュのそれぞれを通して螺旋状のコイルが幅方向に巻き付けられ、該螺旋状のコイルに前記一方の上端部と前記他方の上端部がともに係合されており、該螺旋状のコイル内に上端連結棒が挿入されていることを特徴とする請求項１に記載の落石土砂防護柵付き擁壁。
【請求項３】
下端連結部は、前部壁面材と後部壁面材のそれぞれの下端部が、底面材の網目内に挿入されており、前部壁面材と後部壁面材のメッシュのそれぞれと底面材のメッシュを通して螺旋状のコイルが幅方向に巻き付けられ、該螺旋状のコイルに前部壁面材と後部壁面材のそれぞれと底面材がともに係合されており、該螺旋状のコイル内に下端連結棒が挿入されていることを特徴とする請求項１又は２に記載の落石土砂防護柵付き擁壁。
【請求項４】
後部壁面材の後面には、吸出し防止材を取り付けられていることを特徴とする請求項１、２又は３に記載の落石土砂防護柵付き擁壁。
【請求項５】
後部壁面材の上端には、上端保護材が装着されていることを特徴とする請求項１〜４のいずれかに記載の落石土砂防護柵付き擁壁。
【請求項６】
前部壁面材、後部壁面材及び底面材は、それぞれエキスパンドメタルが使用されることを特徴とする請求項１〜５のいずれかに記載の落石土砂防護柵付き擁壁。
【発明の詳細な説明】
【技術分野】
【０００１】
本発明は、落石土砂防護柵付き擁壁に関するものである。
【背景技術】
【０００２】
従来、土砂又は落石を受け止めるための網状体が張設され、立ち姿勢と横姿勢の一対の柵部材が連設されて形成される防護柵本体と、その防護柵本体を傾動可能に保持する傾動保持部材と、傾動保持部材に連設されると共に防護柵本体を設置する地面に固定されるアンカー部材とを備えている傾動式防護柵が知られている（特許文献１参照）。
【０００３】
また、谷側に傾斜可能に地山に固定された複数の支柱からなる支柱列と、各支柱に架け渡されたネット保持用の上側保持ロープ及び下側保持ロープと、支柱の谷側への傾斜に対する抵抗力を奏する様に各支柱と地山との間に架け渡された控えロープと、上側及び下側保持ロープによって上下側が保持された落下物受け止め用のネットと、を備え、崩落した土砂等を受け止め斜面用防護柵システムが知られている（特許文献２参照）。
【０００４】
さらに、Ｌ字型の壁面材を補強土擁壁の壁面側に向けて設置するとともに、壁面材に連結して敷網材を敷設し、壁面材の背面側であって敷網材の上に盛土構造体が複数段、下方から順次を埋め込まれて構築された補強土擁壁が知られている（特許文献３、４参照）。
【先行技術文献】
【特許文献】
【０００５】
【特許文献１】特開２００６−１６１３５９号公報
【特許文献２】特開２００９−１４４４７２号公報
【特許文献３】特開２００４−２５０９１３号公報
【特許文献４】特開２０１０−１１２１３３号公報
【発明の概要】
【発明が解決しようとする課題】
【０００６】
従来設置されている、山間地等の傾斜面からの落石、土砂に対する防護柵は、大きな石の落石や大量の土砂に対する防護を目的とし、防護用のネットや柵板を支柱で支持した、大がかりで強固な構造物が多い。
【０００７】
しかしながら、大きな落石や大量の土砂の発生の可能性少ないが、比較的な小さな落石（例えば、３０ｃｍ以下）が発生する可能性が多い傾斜面では、防護柵は、費用対効果の観点からも、必ずしも大がかりで強固な構造物とする必要はない。
【０００８】
上記特許文献１に記載の防護柵は、側面視で三角形に配置した一対の柵部材を備えているが、一対の柵部材は、その連結頂部を中心に回転する構成であり、構造が複雑で、いろいろな種類の部材が必要であり、簡易に設置する防護柵と必ずしも言えないものである。
【０００９】
また、特許文献２に記載の斜面用防護柵システムについても、複数の支柱から成る支柱列、多数のロープを必要とし、構造が複雑となり、簡易に設置する防護柵としては必ずしも適しているとは言えないものである。
【００１０】
また、特許文献３、４に記載されたＬ字型の壁面材を使用した補強土擁壁は、Ｌ字型の壁面材はかさばってしまい、その搬送、搬出の作業だけでなく、補強土擁壁の盛土構造体を施工する際にも取り扱いが比較的面倒であるという問題がある。
【００１１】
本発明は、上記従来の問題を解決することを目的とし、落石土砂防護柵を簡単でコンパクトな構造とすることで、施工現場への施工のための資材の搬送及び現場での構築のための施工等の作業を容易とし、しかも、コンパクトな構造ながら、比較的小さな落石や土砂の衝突に対して、十分な緩衝性及び強度を備え、費用対効果の点でも優れた落石土砂防護柵付き擁壁を実現することを課題とする。
【課題を解決するための手段】
【００１２】
本発明は上記課題を解決するために、メッシュを有する底面材と、底面材上に起立した落石土砂防護柵と、落石土砂防護柵の後方において底面材上に盛られた盛土と、を備えた落石土砂防護柵付き擁壁であって、落石土砂防護柵は、それぞれメッシュを有する前部壁面材と後部壁面材を備え、側面視で頂部が鋭角を有する鋭角三角形をしており、前部壁面材と後部壁面材は、それぞれの上端部が互いに鋭角で交叉しており、該交叉した箇所における上端連結部で、遊びを持って連結されているとともに、それぞれの下端部が、底面材に交叉した下端連結部で遊びを持って連結されていることを特徴とする落石土砂防護柵付き擁壁を提供する。
【００１３】
上端連結部は、前部壁面材と後部壁面材のいずれか一方の上端部が、他方の上端部の網目内に挿入されており、前部壁面材と後部壁面材のメッシュのそれぞれを通して螺旋状のコイルが幅方向に巻き付けられ、該螺旋状のコイルに前記一方の上端部と前記他方の上端部がともに係合されており、該螺旋状のコイル内に上端連結棒が挿入されていることが好ましい。
【００１４】
下端連結部は、前部壁面材と後部壁面材のそれぞれの下端部が、底面材の網目内に挿入されており、前部壁面材と後部壁面材のメッシュのそれぞれと底面材のメッシュを通して螺旋状のコイルが幅方向に巻き付けられ、該螺旋状のコイルに前部壁面材と後部壁面材のそれぞれと底面材がともに係合されており、該螺旋状のコイル内に下端連結棒が挿入されていることが好ましい。
【００１５】
後部壁面材の後面には、吸出し防止材を取り付けられていることが好ましい。
【００１６】
後部壁面材の上端には、上端保護材が装着されていることが好ましい。
【００１７】
前部壁面材、後部壁面材及び底面材は、それぞれエキスパンドメタルが使用されることが好ましい。
【発明の効果】
【００１８】
本発明によれば、落石土砂防護柵が簡単でコンパクトな構造であるので、施工現場への施工のための資材の搬送及び現場での構築のための施工等の作業を容易とし、しかも、コンパクトな構造ながら、比較的小さな落石や土砂の衝突に対して十分な緩衝性及び強度を備えているので、費用対効果が向上する。
【図面の簡単な説明】
【００１９】
【図１】本発明に係る落石土砂防護柵付き擁壁の実施例の全体構成を説明する図である。
【図２】上記実施例の落石土砂防護柵付き擁壁の一部について、（ａ）は正面図であり、（ｂ）は平面図である。
【図３】（ａ）は上記実施例における落石土砂防護柵について、前部壁面材の上端部と後部壁面材上端部との上端連結部を示す断面図であり、（ｂ）は斜視図である。
【図４】（ａ）は、上記実施例における前部壁面材、後部壁面材及び底面材に使用されるメッシュを有するエキスパンドメタルを示し、（ｂ）は前部壁面材と底面材との下端連結部を示す図である（後部壁面材と底面材との下端連結部も同様の構成である）。
【図５】上記実施例の落石土砂防護柵に落石が衝突した際の作用を説明する図であり、（ａ）は後部壁面材が前方に撓う状態を示し、（ｂ）は後部壁面材が前方に撓うとともに前部壁面材及び後部壁面材がそれらの上端連結部とともに前方に若干移動する状態を示す。
【図６】上記実施例の落石土砂防護柵付き擁壁における落石土砂防護柵の変形例の全体構成を説明する図である。
【図７】上記実施例の落石土砂防護柵付き擁壁の計算例の計算結果を示すグラフである。
【図８】上記実施例の落石土砂防護柵付き擁壁の試験例の試験結果を示すグラフである。
【発明を実施するための形態】
【００２０】
本発明に係る落石土砂防護柵付き擁壁を実施するための形態を実施例に基づき図面を参照して、以下説明する。
【実施例】
【００２１】
本発明に係る落石土砂防護柵付き擁壁の実施例を図１〜図８を参照して説明する。落石土砂防護柵付き擁壁１は、その全体構成を図１に示すように、落石土砂防護柵３と、底面材４と、底面材４上に盛られた盛土５と、を備えており、山間地の傾斜面２の前方の裾部等に構築され、傾斜面２からの落石土砂等の防護を行う。
【００２２】
なお、本明細書及び本発明では、落石土砂防護柵付き擁壁１を正面から見て、手前側を前方とし、背面側（傾斜面２側）を後方とし、左右を左右方向とする。
【００２３】
傾斜面２の下端の前方の裾部に位置する底面地盤１１に底面材４が敷設され、その底面材４の上に、落石土砂防護柵３が起立して設けられている。落石土砂防護柵３は、図１及び図２に示すように、前部壁面材１２と後部壁面材１３を備えている。
【００２４】
前部壁面材１２、後部壁面材１３及び底面材４としては、それぞれ図４（ａ）に示すようなメッシュ１６を有するエキスパンドメタルが使用される。メッシュ１６は、網目１７を有する。
【００２５】
図１、図３（ａ）、（ｂ）に示すように、前部壁面材１２の上端部２０と後部壁面材１３の上端部２１は、互いに鋭角θで交叉して、この交叉した箇所における上端連結部２８で互いに連結されている（図２も参照）。         
【００２６】
また、図１、図２、図４（ｂ）に示すように、前部壁面材１２の下端部２２は、底面材４と交叉して、この交叉した箇所における下端連結部２９で連結されている。同様に、後部壁面材１３の下端部２３は、底面材４と交叉して、この交叉した箇所における下端連結部３０で連結されている。
【００２７】
これによって、落石土砂防護柵３は、側面視で全体として、頂部に鋭角θを有し、下方に向けて広がった鋭角三角形状に起立するように形成されている。
【００２８】
上端連結部２８の構成をさらに詳細に説明する。上端連結部２８では、前部壁面材１２と後部壁面材１３のいずれか一方の上端部（本実施例では後部壁面材１３の上端部２１）が、図３（ａ）、（ｂ）に示すように、他方の上端部（本実施例では前部壁面材１２の上端部２０）のメッシュ１６の網目１７内に挿入し、鋭角θで交叉されている。
【００２９】
そして、この前部壁面材１２と後部壁面材１３の交叉した箇所の幅方向全体に沿って、前部壁面材１２のメッシュ１６と後部壁面材１３のメッシュ１６に、螺旋状に成形されたコイル（螺旋状のコイル）３３を、回転させながら通して巻き付ける。
【００３０】
これにより、この交叉した箇所において、螺旋状のコイル３３に、前部壁面材１２の上端部２０と後部壁面材１３の上端部２１が、ともに前部壁面材１２と後部壁面材１３の幅方向全体にわたって係合される。
【００３１】
さらに、この螺旋状のコイル３３内に上端連結棒３４が前部壁面材１２と後部壁面材１３の横幅方向の全体にわたるように挿入され、上端連結部２８が構成される。
【００３２】
このような上端連結部２８によって、前部壁面材１２の上端部２０と後部壁面材１３の上端部２１は、螺旋状のコイル３３及び上端連結棒３４を介して、互いに、鋭角θで連結される。
【００３３】
前部壁面材１２の上端部２０と後部壁面材１３の上端部２１は、上記のとおり螺旋状のコイル３３及び上端連結棒３４を介して連結されているので、遊びを持って連結される。本明細書及び発明における「遊びを持って連結」するという意味は、はずれるようなことはないが、互いに対してがっちりと固定されて動けない状態ではなく、若干動ける緩みを持った連結状態を言う。
【００３４】
前部壁面材１２及び後部壁面材１３は、それぞれその下端部２２、２３が、図１、図２（ａ）、（ｂ）、及び図４（ｂ）等に示すように、底面材４と下端連結部２９、３０で連結されている。この下端連結部２９、３０の構成は、前部壁面材１２の上端部２０と後部壁面材１３の上端部２１を連結する上端連結部２８と同様の構成である。
【００３５】
即ち、下端連結部２９、３０では、前部壁面材１２の下端部２２及び後部壁面材１３の下端部２３が、それぞれ、図４（ｂ）に示すように、底面材４のメッシュ１６の網目１７内に挿入して交叉されている。なお、図４（ｂ）では、前部壁面材１２と底面材４との下端連結部２９を示すが、後部壁面材１３と底面材４の下端連結部３０についても同様である。
【００３６】
そして、この交叉した箇所において、前部壁面材１２及び後部壁面材１３のそれぞれの幅方向全体に沿って、前部壁面材１２及び後部壁面材１３のそれぞれのメッシュ１６と、底面材４のメッシュ１６に、螺旋状のコイル３３を回転させながら通して巻き付ける。
【００３７】
これにより、螺旋状のコイル３３に、前部壁面材１２及び後部壁面材１３のそれぞれと、底面材４が、ともに前部壁面材１２と後部壁面材１３の幅方向全体にわたって係合される。さらに、該螺旋状のコイル３３内に下端連結棒３９が、前部壁面材１２と後部壁面材１３の横幅方向の全体にわたるように挿入される。
【００３８】
このような下端連結部２９、３０によって、前部壁面材１２の下端部２２及び後部壁面材１３の下端部２３は、それぞれ底面材４と、螺旋状のコイル３３及び下端連結棒３９を介して、互いに連結される。
【００３９】
このようにして、底面材４の上で、落石土砂防護柵３は、前部壁面材１２と後部壁面材１３が互いにその上端部２０、２１で連結され、それぞれの下端部２２、２３が底面材４に連結されることで、落石土砂防護柵３は、図１に示すように、側面視で三角形状となるので構造強度が向上する。
【００４０】
以上のとおり、底面材４の上に落石土砂防護柵３が起設された状態で、図１に示すように、後部壁面材１３の後方側において、後部壁面材１３と傾斜面２との間に、底面材４の上に盛土５が盛られるこれによって、底面材４が盛土５によって底面地盤１１上に強固に固定される。その結果、起立して設けられた落石土砂防護柵３も、底面材４を介して底面地盤１１上に強固に固定される。
【００４１】
後部壁面材１３の後面に、図１、図３（ａ）に示すように、吸出し防止材４０が取り付けられる。この吸出し防止材４０は、後部壁面材１３から盛土５やの土、微細な落石、土砂等が前方に漏れ出ないために設けられるのであって、不織布や樹脂ネットを使用する。
【００４２】
また、後部壁面材１３の上端部２１には、図３（ａ）に示すように、上端保護材４１が弾力的に嵌め込まれ、横幅方向全体にわたって後部壁面材１３の上端を保護するように装着される。この上端保護材４１は、弾性を有する金属、樹脂材等の材料によって側面視でヘアピン状に形成され、後部壁面材１３の横幅に対応した横幅寸法を有する。
【００４３】
なお、横幅方向に配置された複数の前部壁面材１２について、互いに隣接したものを接続する場合は、結束バンド４４（図２（ａ）参照）で接続する。横幅方向に配置された複数の後部壁面材１３について、互いに隣接したものを接続する場合も同様に、隣接したものを結束バンド４４で接続する。
【００４４】
ところで、本実施例では、落石土砂防護柵３は、図１に示すように、側面視で略二等辺三角形状の構成を示したが、このような構成に限定されることなく、前部壁面材１２の上端部２０と後部壁面材１３の上端部２１が互いに鋭角に交叉し、側面視で鋭角三角形状となればよい。
【００４５】
例えば、図６に落石土砂防護柵の変形例を示すが、この変形例の落石土砂防護柵４７のように、底面材４に対して後部壁面材１３が垂直に起立した直角三角形であってもよい。
【００４６】
（作用）
上記構成から成る落石土砂防護柵付き擁壁１の作用を、以下説明する。図１に示すように落石土砂防護柵付き擁壁１が設置された状態で、傾斜面２から落下してきた落石４５（例えば、大きくて３０ｃｍ程度の比較的小さな落石）が、後部壁面材１３に衝突する。すると、後部壁面材１３は、図５（ａ）に示すように、その弾性により前方に撓い、落石４５の衝突力は緩衝される。
【００４７】
加えて、前部壁面材１２及び後部壁面材１３は、それぞれ下端連結部２９、３０において、底面材４に対して前記したとおり、螺旋状のコイル３３と下端連結棒３９を介して、互いにある程度の遊びを持って連結されているので、落石４５が衝突した瞬間に、図５（ｂ）に示すように、前部壁面材１２及び後部壁面材１３が、それらの上端連結部２８も含めて共に前方に若干移動し、これによっても落石の衝突力は緩衝される。
【００４８】
ところで、上端連結部２８において、互いに螺旋状のコイル３３及び上端連結棒３４を介して、互いにある程度の遊びを持って連結されているので、落石４５が衝突する際に、後部壁面材１３への落石４５による衝撃力は、直に前部壁面材１２に伝わることなく、緩衝されるので、落石土砂防護柵３全体への衝撃の影響も弱まる。
【００４９】
また、前部壁面材１２及び後部壁面材１３は、側面視で三角形状で互いに間隔をもって配置されているので、上記のとおり落石４５により後部壁面材１３がある程度、前方に向けて撓っても、前部壁面材１２には、接触しない又は接触しても衝突力はすでに緩衝されているので前部壁面材１２への衝撃力は小さい。
【００５０】
そして、落石土砂防護柵３は、前後に前部壁面材１２及び後部壁面材１３を備えているので、後部壁面材１３の網目１７をくぐり抜けた、或いは突き破って通過した小さな落石や土砂を、前方に配置された前部壁面材１２で捕捉し、その衝突力をさらに緩衝するので、小さな落石や土砂は、落石土砂防護柵３のさらに前方への移動が阻止され、二重の防護機能を発揮する。
【００５１】
落石及び土砂は、その多くは傾斜面２に沿って落下してくるので、底面材４に近い下方ほど落石及び土砂の移動量が多く、後部壁面材１３を通過した落石及び土砂は、より多く前部壁面材１２の後方に堆積する。これに対して、落石土砂防護柵３は、側面視で三角形状となるように、前部壁面材１２と後部壁面材１３との間隔が下方に向けて拡がっている。
【００５２】
従って、前部壁面材１２と後部壁面材１３のとの間の下方には空間的に余裕があるので、二重の防護機能により前部壁面材１２で止められて堆積する落石及び土砂が、前部壁面材１２と後部壁面材１３のとの間に、必要以上詰まるという支障も解消できる。
【００５３】
このように、落石土砂防護柵３の側面視で三角形状の構成は、構造強度を確保するだけでなく、二重の防護機能をスムースに発揮させる構造としても最適である。
【００５４】
落石土砂防護柵３における前部壁面材１２と後部壁面材１３は、それぞれ上端部２０、２１において互いに鋭角θで交叉して連結され、全体として側面視で下方に広がった鋭角三角形状に起立するように形成されている。
【００５５】
そのため、降雪時でも、雪は前部壁面材１２及び後部壁面材１３の表面に沿って滑り落ち易くなり、落石土砂防護柵３に雪が積もり、雪の重さで破損したりすることが防止できる。従って、落石土砂防護柵付き擁壁１降雪地帯への設置にも適している。
【００５６】
後部壁面材１３の上端には、上端保護材４１が装着されているので、後部壁面材１３の上端がむき出しとなることなく見栄えが良い。このように上端保護材４１は、装飾機能を有するが、危険防止機能も有する。
【００５７】
即ち、後部壁面材１３の上端は、そのメッシュ１６がむき出しで突き出ているので、人が触れたりすると、危険であるが、メッシュ１６の上端が上端保護材４１でカバーされるので、そのような危険が防止される。
【００５８】
なお、図６に示す変形例の落石土砂防護柵４７においても、落石は垂直に設けられた後部壁面材１３に衝突するが、上記実施例の落石土砂防護柵３と全く同様に、落石の衝突力は緩衝される。                
【００５９】
（計算例、試験例）
本発明者は、本発明に係る落石土砂防護柵付き擁壁１の効果を確認するための構造計算と実証試験を行ったので、その計算例、試験内容、試験結果等を以下説明する。
【００６０】
計算例：
本発明者は、落石が衝突した場合において、後部壁面材１３の荷重作用点（落石の衝突した点）の水平前方への変位（量）δ（ｍｍ）と、後部壁面材１３の荷重作用点にかかる水平荷重Ｐ（ｋＮ）との関係を構造計算した。この結果を図７の曲線に示す。
【００６１】
上記水平荷重Ｐは、落石径、落石高（落石の落下した垂直距離）等によって異なる。図７において、ある荷重作用点変位δと水平荷重Ｐにおいて曲線の点で、曲線と垂直線で囲まれる領域（積分値）は、落石エネルギーを示すが、この落石エネルギーが、落石土砂防護柵３で吸収される吸収可能エネルギーに相当する。
【００６２】
例えば、図７においてCase（一事例）として示すが、条件として、落石径φ＝１０ｃｍ、落下高Ｈ＝２０ｍの場合、落石エネルギーＥ１＝０．２３ｋＮ・ｍであり、これが吸収エネルギーとなる。
【００６３】
なお、図７中には示されていないが、上記Caseと同じ条件では、変位量δ＝３００ｍｍの時の吸収エネルギーＥ＝１．５２ｋＮ・ｍとなる。これらの計算結果からすると、後部壁面材１３に直径１０ｃｍ程度の落石が衝突しても、後部壁面材１３の衝突部位が１１０ｍｍ程度、前方に変位することで、落石土砂防護柵３自体は破損することなく、落石エネルギーを十分吸収できるという効果が確認できた。
【００６４】
試験例：
本発明者は、落石土砂防護柵３に落石が繰り返し衝突した場合において、各回の衝突エネルギー（落石エネルギー）Ｅ１＝０．２８ｋＮ・ｍとした場合、累積衝突エネルギーΣＥｒ（ｋＮ・ｍ）と後部壁面材１３の上端の水平前方への変形量δ（ｍｍ）の関係を測定した。この結果を図８の曲線に示す。
【００６５】
この測定結果によると、１回目（図８中○付き１で示す）の落石の衝突により変形量は急速に増加するが、２回目（図８中の○付き２で示す）以降の衝突によっては、変形量は漸増するにすぎず、１０回目（図８中○付き１０で示す）の衝突、即ち累積衝突エネルギーがＥ１＝２．８０ｋＮ・ｍでも、変形量は１２５ｍｍより小さく、落石土砂防護柵３の機能を低下するほどにならないという効果が確認できた。
【００６６】
以上、本発明に係る落石土砂防護柵付き擁壁を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００６７】
本発明に係る落石土砂防護柵付き擁壁は上記のような構成であるから、丘陵地、山間地の斜面、道路支持斜面、鉄道側方斜面等、各種の斜面からの落石、土砂に対する防護用の落石土砂防護柵付き擁壁として適用可能である。
【符号の説明】
【００６８】
１  落石土砂防護柵付き擁壁               
２  傾斜面                               
３  落石土砂防護柵                       
４  底面材                               
５  盛土                                 
１１  底面地盤                             
１２  前部壁面材                           
１３  後部壁面材                           
１６  メッシュ                             
１７  網目                                 
２０  前部壁面材の上端部                   
２１  後部壁面材の上端部                   
２２  前部壁面材の下端部                   
２３  後部壁面材の下端部                   
２８  上端連結部                           
２９  前部壁面材の下端連結部               
３０  後部壁面材の下端連結部               
３３  螺旋状のコイル                       
３４  上端連結棒                           
３９  下端連結棒                           
４０  吸出し防止材                         
４１  上端保護材                           
４４  結束バンド                           
４５  落石                                 
４７  落石土砂防護柵                       
【図１】
0006471042.tif 000002
【図２】
0006471042.tif 000003
【図３】
0006471042.tif 000004
【図４】
0006471042.tif 000005
【図５】
0006471042.tif 000006
【図６】
0006471042.tif 000007
【図７】
0006471042.tif 000008
【図８】
0006471042.tif 000009